(57)【特許請求の範囲】
【請求項１】
筒状レンチ本体の基端側に電動インパクトドライバを連結する連結部を設け、該レンチ本体中間に、脱着対象であるコ−ンの先のボルトに対し被嵌し得る穴を内設し、該レンチ本体の先端側開口内部に、前記コ−ン内の六角ナットに掛け合わせできる六角のレンチ部を形成し、そのレンチ部の先端面から突出させ、且つ左回転方向で、コンクリ−トノロを削り取る側をコンクリ−ト面に対して略直角に、そしてその六角のレンチ部の角部より該レンチ本体の外周までの、周方向の肉厚の一番薄い端面の部分を、コ−ン内部に入ったコンクリ−トノロを削り取る切削歯面とし、反対側の先端部を、前後間歇振動だけにてコンクリ−トノロの取り除きができるようやや大きく傾斜させた鋸歯状刃部を形成すると共にそのレンチ部の各辺に対して１つの鋸歯状刃部を各形成させたことを特徴とするコ−ン脱着用レンチ。
【発明の詳細な説明】
【０００１】
【発明の属する技術分野】
本発明は、コンクリート型枠間隔保持具用の受け具（通称コーン又はピーコーン）を取外すコーン脱着用レンチに関する。
【０００２】
【従来の技術】
従来、コーン脱着用レンチとしては、コーン着脱用のレンチとして出願がなされている、実開平７−１５２６８号が一般市場に提供されている。
【０００３】
上記コーン着脱用のレンチでは、特にレンチ及び歯部に於て、レンチ部８を本体１の先端開口周縁よりやや後方の奥まった位置の中心穴４内面に形成し、この本体１先端の中心穴４の開口径よりレンチ部８の内径をやや小さく設定してレンチ部８の先端に段部１１を形成し、且つその段面に内側方向に下がり傾斜したレンチ部導入ガイド傾斜面１２を形成し、また先端開口周縁にコンクリートノロ除去用歯部１０を設けているものなどからなる。
【０００５】
そのレンチを使用する時、先ずコーン５のボルト６に本体１の中心穴４を被嵌し、本体１の先端開口周縁に設けたコンクリートノロ除去用歯部を回転させてコンクリートノロ９を除去しながらレンチ部導入ガイド傾斜面１２により、ナット部７をレンチ部８に被嵌係合しそのまま回転させてナット部７を取外している。
【０００６】
【発明が解決しようとする課題】
従来、コンクリート型枠を取外したあと、回転工具（通常、電動のインパクトドライバを使用する）を使用してコーンを取外すが、上述のような従来のコーン着脱用のレンチでは、レンチ部８の先端の歯部１０が薄く、数多く取外す作業では直ぐにその歯部１０がすり減って機能しなくなり、また該歯部１０の高さの量のコンクリートを削り取った後、レンチ部８に掛り、ナット部７を回転させ取外すことから、必要以上にコンクリートノロを除去しなければナット部７に掛らず、その多く削り取る分時間を要し、また上記と同様該歯部１０の摩耗が激しく、作業途中にレンチの取替える手間など作業性が悪く、また経済的でなかった。
【０００７】
上記摩耗は、該歯部１０が矩形状で、先端部が平らであるため歯部１０の先端が摩擦で磨り減りが激しく、またコーン内部のコンクリートノロが、各歯部１０の間に一杯詰まった状態では、該ノロの面を歯部１０が滑るように回転して削り取る能力が極端に小さくなり、レンチの寿命が短かくなっていた。
【０００８】
さらに、従来の先端周囲に小さく数多く設けている山切り状の歯（略正三角形状の歯）は、先端が少し減ると直ぐ切れ味が悪くなり、また上記の歯部１０の目詰まり同様に切れ味が悪くなり、取りあえず使用できるがコンクリートノロ除去効率が落ち、作業効率が極端に悪くなることから好ましくなく、また通常、コンクリート壁の外すコーンの量が非常に多いことから、作業する上で素早く外すことが望まれていた。
【０００９】
【課題を解決するための手段】
本発明のコーン脱着用レンチは、先端側開口内部に六角のレンチ部を形成し、該レンチ部の先端面から突出させ、且つ削り取る側を略直角に反対側を傾斜させた鋸歯状刃部を形成すると共に該レンチ部の各辺に対して一つの鋸歯状刃部を各形成させている。
【００１０】
上述のことから、鋸歯状刃部の先端部までレンチ部を形成しているので、鋸歯状刃部でコンクリートノロを除去して、取り外すナットが露出すると、直ぐ該ナットに掛かりナットを早く回転に導くので、ナットを素早く取り外せる。
【００１１】
また、鋸歯状刃部の外周と六角のレンチ部の六角面の中央部が厚く、各面が接する角部が薄く、削り取る鋸歯状刃部の前側が薄く角度が付いて形成されていることから、削り取りやすくコンクリートノロを除去する効率がよい。
【００１２】
さらに、レンチ部の各辺に対して一つの鋸歯状刃部が各形成されており、各鋸歯状刃部の間が大きくコンクリートノロを除去された削りカスの排出が良いことからコンクリートノロを除去する効率がよい。
【００１３】
【発明の実施の形態】
本発明のコーン脱着用レンチは、筒状レンチ本体の基端側に電動インパクトドライバなどの回転工具を連結する連結部を設けている。
【００１４】
該筒状レンチ本体の先端側開口内部に六角のレンチ部を形成し、該レンチ部の先端面から突出させ、且つ削り取る側を略直角に反対側を傾斜させた鋸歯状刃部を形成すると共に該レンチ部の各辺に対して一つの鋸歯状刃部を各形成している。
【００１５】
つまり、筒状レンチ本体の外周面と開口内部の該レンチ部の各辺とで鋸歯状刃部を形成しているので、削り取る鋸歯状刃部の前側が薄く角度が付いて形成されている。
【００１６】
なお、上記コーンは、コンクリートを打設時にコンクリート型枠を保持固定する部品の一部で、コンクリートを打設時にコーン内部に入り込んで固まった状態のものがコンクリートノロで、該ノロを除去した後、内部のナットを取り外すことで該コーンが取り外せる。
【００１７】
また、回転工具の電動インパクトドライバは、回転が止まると前後に間歇振動することで、コンクリート壁にドリルで容易に穴を開ける力を有しており、また本願のようにコンクリートノロが付着するコーンを取り除くときなどにも使用されるもので、建築現場などで一般的に多く使用されている。
【００１８】
【実施例】
本発明の実施例を図面に基づいて説明すると、図１において、１はコーン脱着用レンチで、該コーン脱着用レンチ１は、外見が市販のソケットレンチと略同様で、有底の筒状レンチ本体２と基端側端面中央に電動のインパクトドライバ３に連結する棒状（図示では六角棒）の連結部４を設けている。
【００１９】
そこで、該筒状レンチ本体２は、図２に示すように該内面側に内辺六角のレンチ部５を形成すると共に該筒状レンチ本体２の先端端面に突出形成した鋸歯状刃部６を設けている。
【００２０】
該鋸歯状刃部６は、削り取る前側を略直角にした切削歯７と反対の後ろ側を傾斜させた逃げ角８の形状をした鋸歯状で、上記内辺六角の各辺に対して一つの鋸歯状刃部６を各形成している。
【００２１】
そして、筒状レンチ本体２の外周と該レンチ部５の六角面の周方向の中央部が厚く、六角各面が接する角部が薄く、つまり鋸歯状刃部６の逃げ角８中央で板厚が厚く、また削り取る鋸歯状刃部６の前側の切削歯７が薄く角度が付いて形成されている。
【００２２】
しかして、図３に示すように、コンクリート壁９に埋没状態に露出するコーン１０を取り外すときに於いて、いま、セパレータボルト部１１のナット１２によりコーン１０が固定され、且つ該コーン１０内部にコンクリートノロ１３が付着している状態にあるものを取り外す。
【００２３】
そこで先ず、筒状レンチ本体２の連結部４を電動のインパクトドライバ３に連結固定し、その状態で、コーン１０の内部より突出しているセパレータボルト部１１の先端に筒状レンチ本体２を被嵌すると共に電動のインパクトドライバ３により筒状レンチ本体２を回転させ、その回転により鋸歯状刃部６でコンクリートノロ１３を掻き取るように削り取る。
【００２４】
その時、取り外すナット１２が該コンクリートノロ１３から露出すると直ぐ、該鋸歯状刃部６の先部近傍のレンチ部５が該ナット１２に掛かり始め、その時の状態において、インパクトドライバ３の前後の振動によって、ナット１２の先端部より徐々にコンクリートノロ１３が取り除かれ、鋸歯状刃部６の内辺六角のレンチ部５に掛かりやすくなり、よってコンクリートノロ１３が取り除かれながらナット１２の回転が始まり、ナット１２の取り除きが素早く行われる。
【００２５】
また、そのコンクリートノロ１３の取り除きに於いて、インパクトドライバ３の回転で削り取るとき、鋸歯状刃部６の略直角の切削歯７で、先ず掻き取るように削り、また強く押しつけると該インパクトドライバ３の回転が停止し、前後の振動により該鋸歯状刃部６の先端で突く作用で素早くコンクリートノロ１３を取り除ける。
【００２６】
そして、鋸歯状刃部６の外周と六角のレンチ部５の六角面の中央部が厚く、各面が接する角部が薄く、よって鋸歯状刃部６の削り取る切削歯７の前側が薄く角度が付いて形成されていることから、コンクリートノロ１３を早く削り取る。
【００２７】
さらに、各鋸歯状刃部６の間が大きく開いているので、掻き取られた削りカスのコンクリートノロ１３が各鋸歯状刃部６の間から排出されるので、目詰まりを起こすことなくコンクリートノロ１３を早く削り取る。
【００２８】
このように、コンクリートノロ１３が取り除かれながらナット１２にレンチ部５が早く掛かり、素早くナット１２が外されることで、コンクリート壁９からコーン１０を早く取り外すことができる。
【００２９】
つまり、コンクリート壁９に埋没状態に露出するコーン１０を取り外すとき、コーン１０内部にコンクリートノロ１３の付着の有無にかかわらずナット１２がコーン脱着用レンチ１で次々と素早く取外す作業が出来る。
【００３０】
【発明の効果】
本発明は、以上説明したような形態で実施され、特に、筒状レンチ本体の基端側に回転工具を連結する連結部を設け、先端側開口内部に六角のレンチ部を形成し、該レンチ部の先端面から突出させ、且つ削り取る側を略直角に反対側を傾斜させた鋸歯状刃部を形成すると共に該レンチ部の各辺に対して一つの鋸歯状刃部を各形成しているので、
【００３１】
コンクリートノロを除去して取り外すナットがある程度露出すると、直ぐ該ナットに掛かりナットを回転させるので素早くナットが取り外せ、通常コンクリート壁のコーンの量が非常に多いことから、素早く外せることが作業する上で、効率、コストなどに非常に大きく貢献する。
【００３２】
また、コンクリートノロを除去する鋸歯状刃部の重要部分の板厚が厚く、磨り減りに強く、レンチの寿命を長く持たせることができる。
【００３３】
さらに、削り取る鋸歯状刃部の前側の切削歯が薄く角度が付いて形成されていることから、コンクリートノロを効率よく早く削り取れる。
【００３４】
加えて、各鋸歯状刃部の間が開いていることで、掻き取られた削りカスのコンクリートノロが各鋸歯状刃部の間から早く排出され、目詰まりを起こすことなくコンクリートノロを早く効率よく削り取ることができる。
【００３５】
さらに加えて、電動インパクトドライバを使用する事で、コンクリートノロを除去してナットが露出すると直ぐ該ナットに掛かり始め、前後方向の振動もあることからナットがレンチ部に掛かりやすくナットの取り外しが早く行われ、作業効率が上がることで、コストダウンが図れる。よって本発明は実用上著大な効果を奏する。
【図面の簡単な説明】
【図１】本発明の実施例の斜視図である。
【図２】本発明の実施例の正面図である。
【図３】使用状態状態を示す要部の側面断面図である。
【符号の説明】
１  コーン脱着用レンチ
２  筒状レンチ本体
３  インパクトドライバ
４  連結部
５  レンチ部
６  鋸歯状刃部
７  切削歯
８  逃げ角
【図１】
0004045565.tif 000002
【図２】
0004045565.tif 000003
【図３】
0004045565.tif 000004